(57)【要約】 【課題】表示品位の良好な立体画像表示装置を提供する。【解決手段】立体画像表示装置においては、画像表示パネルの画像表示面上には、前記画素に表示される視差画像の投影方向を限定する視差画像投影部が配置されている。視差画像投影部には、この投影部と表示パネルとを位置合わせする為に第１のマーカが設けられ、画像表示面には、基準位置マーク及びこの基準位置マークに対し前記画素ピッチで配列されたてた参照位置マークを有する第２のマーカが設けられている。第１マーカは、基準位置マーク或いは参照位置マークに位置合わせされて視差画像投影部と前記画像表示パネルとが画素ピッチで調整されて位置合わせされる。この位置合わせで、不良画素は、視差画像投影部の周期構造境界部に対向される。【選択図】図５
2010237290.tif 000002
【特許請求の範囲】
【請求項１】
２次元マトリクス状に行列に配列された複数の画素が設けられた画像表示面を有する画像表示パネルと、
前記画像表示面上に配置され、周期構造を有し、前記画素に表示される視差画像の投影方向を限定する視差画像投影部と、
この視差画像投影部にこの投影部と表示パネルとを位置合わせする為に設けられた第１のマーカと、
前記画像表示面に設けられ、基準位置マーク及びこの基準位置マークに対し前記画素ピッチで配列されたてた参照位置マークを有する第２のマーカであって、前記第１マーカを前記基準位置マーク或いは参照位置マークに位置合わせして前記視差画像投影部と前記画像表示パネルとを前記画素ピッチで調整して位置合わせする為の第２のマーカと、
を具備することを特徴とする立体表示装置。
【請求項２】
立体画像の表示に寄与する視差画像が表示される予め定められた数の有効画素及び有効画素の周縁領域の少なくとも一辺に配置され、立体画像の表示に寄与しない複数の冗長画素を含む複数の画素が配列された画像表示面を有する表示パネルと、
前記画像表示面上に配置され、周期構造を有し、前記画素に表示される視差画像の投影方向を限定する視差画像投影部と、
前記有効画素に視差画像を表示し、前記冗長画素に黒表示する前記表示パネルを駆動する駆動回路と、
を具備することを特徴とする立体表示装置。
【請求項３】
前記視差画像投影部は、あるピッチで繰り返される周期構造を有し、このピッチで定められる前記画像表示面の領域内に前記列方向に沿って所定数ｍ（整数）の有効画素が配置され、
前記第１マーカを前記基準位置マークからずらして参照位置マークに位置合わせする範囲は、前記所定数ｍから１を減じた数の１／２について、小数点以下を切り捨てて整数とした値以下に設定されることを特徴とする請求項１記載の立体表示装置。
【請求項４】
前記視差画像投影部は、あるピッチで繰り返される周期構造を有し、このピッチで定められる前記画像表示面の領域内に前記列方向に沿って所定数ｍ（整数）の有効画素が配置され、
前記冗長画素の列数は、前記所定数ｍから１を減じた数の１／２について、小数点以下を切り捨てて整数とした値以下に設定されることを特徴とする請求項１記載の立体表示装置。
【請求項５】
前記複数の画素は、不良画素を含み、当該不良画素が前記画像表示面の中央領域に配列される場合に、前記位置合わせで前記不良画素は、前記視差画像投影部の周期構造の境界に対向されることを特徴とする請求項１の立体表示装置。
【請求項６】
２次元マトリクス状に行列に配列された複数の画素が設けられた画像表示面を有する画像表示パネルと、
前記画像表示面上に配置され、周期構造を有し、前記画素に表示される視差画像の投影方向を限定する視差画像投影部と、
この視差画像投影部にこの投影部と表示パネルとを位置合わせする為に設けられた第１のマーカと、
前記画像表示面に設けられ、基準位置マーク及びこの基準位置マークに対し前記画素ピッチで配列されたてた参照位置マークを有する第２のマーカであって、前記第１マーカを前記基準位置マーク或いは参照位置マークに位置合わせして前記視差画像投影部と前記画像表示パネルとを前記画素ピッチで調整して位置合わせする為の第２のマーカと、
を具備する立体表示装置の調整方法において、
前記複数の画素中の不良画素を特定し、
この不良画素が前記画像表示面の中央領域に生じている場合に、前記視差画像投影部の周期構造の境界に当該不良画素が対向されるように前記第１マーカを前記基準位置マーク或いは参照位置マークに位置合わせすることを特徴とする立体表示装置の調整方法。
【発明の詳細な説明】
【技術分野】
【０００１】
この発明は、裸眼で立体視可能な立体画像表示装置に関する。
【背景技術】
【０００２】
立体的な動画表示が可能な立体視画像表示装置、所謂、３次元ディスプレイには、種々の方式が知られている。近年、特にフラットパネルタイプで、且つ、専用の眼鏡等を必要としない立体視画像表示方式に対する要望が高くなっている。この立体視画像表示方式に関しては、ＦＰＤ（フラットパネルディスプレイ）の直前に表示パネルからの光線を制御して観察者に向ける光学的画像選択部（光線制御素子とも称する。）を設置する方式が比較的容易に実現できる方式として知られている。
【０００３】
この立体画像を表示する立体視画像表示装置においては、２次元画像を表示するための画像表示装置の画像表示面に多数の視線方向からの画像が合成表示され、観察者の視点位置、若しくは、視線方向に対応する画像を選択的に表示する光線制御素子は、一般的には、パララクスバリア或いは視差バリアとも称せられ、光線制御素子上の同一位置でも角度により異なる画像が見えるように光線を制御している。具体的には、光学的画像選択部として、スリット（バリア）、レンズアレイが主に使用される。多数の視線方向からの画像を合成表示する場合、画面に対して水平方向のみに光学的画像選択性を与える場合（左右視差（水平視差）のみを与える場合）と、画面の水平及び垂直方向両方において画像が切り替わるような光学的画像選択性を与える場合（上下視差（水平垂直視差）を与える場合）がある。前者に用いられるレンズアレイとして、シリンドリカルレンズアレイ（レンチキュラーシート）、後者に用いられるレンズアレイとして、二次元レンズアレイ（フライアイレンズアレイ）がしばしば用いられる。
【０００４】
２眼式及び超多眼式を含めた多眼式では、画素ドット面上近傍に配置されたレンズアレイからの光線は、観察者の視点に光線を集中させている。この多眼方式に対して、インテグラル・イメージング（ＩＩ）若しくはインテグラル・フォトグラフィー（ＩＰ）方式では、同様にレンズアレイは、画素ドット面上近傍に配置されるが、このレンズアレイのレンズピッチは、画素ドットのピッチの整数倍、或いは、整数倍に極めて近似した値に設定される。また、ＩＩ若しくはＩＰ方式では、観察者の視点に光線が集中されず、レンズアレイの各レンズからは、互いに平行な光線が射出されている。
【０００５】
特許文献１及び特許文献２には、所謂多眼方式の立体画像表示装置が開示されている。特許文献１の立体画像表示装置では、画像表示装置の表示面に重ねて配置されたレンズ（バリア）面の面内位置を調節することにより、表示面内各画素の視認可能方向が決定される関係を利用して、視域の可変制御（トラッキングによる視域拡大）を行っている。また、特許文献２には、レンズ（バリア）面を表示面に対して固定的に位置決めする場合の画像表示装置における位置調整方法が開示されている。
【先行技術文献】
【特許文献】
【０００６】
【特許文献１】特開平７−２７０７４５号
【特許文献２】特開２００４−２８００８７号
【発明の概要】
【発明が解決しようとする課題】
【０００７】
立体画像表示装置における表示パネルでは、表示素子を構成する画素に、製造時の不具合によりしばしば欠陥が生じ、点灯不良を起こす場合が生ずる。この不良画素は、表示パネルにおいて点欠陥となって表示品位の低下を招くこととなる。特に、立体画像表示装置においては、１つのレンズに対して割り当てられている画素中の中央となる列に不良画素が生じている場合には、パネル表示面に対して垂直方向、即ち、観察者の正面方向に拡大されて投影され、観察者が拡大された不良画素を視認することとなる問題がある。
【０００８】
通常の画像表示装置では、近年多画素化、高精細化が進み、点欠陥が１つ生じても良品として判定される場合もあり得るが、レンズアレイを用いた立体画像表示装置では、レンズ効果により点欠陥となった不良画素がレンズピッチにまで拡大されてしまうため、良品として判定することができず、歩留りが低下してしまう問題が生ずる。
【課題を解決するための手段】
【０００９】
本発明は、上記問題点を解決するためになされてものであり、その目的は、表示品位の良好な立体画像表示装置を提供することにある。
【００１０】
本発明の一態様に係る立体表示装置は、２次元マトリクス状に行列に配列された複数の画素が設けられた画像表示面を有する画像表示パネルと、
前記画像表示面上に配置され、周期構造を有し、前記画素に表示される視差画像の投影方向を限定する視差画像投影部と、
この視差画像投影部にこの投影部と表示パネルとを位置合わせする為に設けられた第１のマーカと、
前記画像表示面に設けられ、基準位置マーク及びこの基準位置マークに対し前記画素ピッチで配列されたてた参照位置マークを有する第２のマーカであって、前記第１マーカを前記基準位置マーク或いは参照位置マークに位置合わせして前記視差画像投影部と前記画像表示パネルとを前記画素ピッチで調整して位置合わせする為の第２のマーカと、
を具備することを特徴としている。
【００１１】
また、本発明の一態様に係る立体表示装置は、立体画像の表示に寄与する視差画像が表示される予め定められた数の有効画素及び有効画素の周縁領域の少なくとも一辺に配置され、立体画像の表示に寄与しない複数の冗長画素を含む複数の画素が配列された画像表示面を有する表示パネルと、
前記画像表示面上に配置され、周期構造を有し、前記画素に表示される視差画像の投影方向を限定する視差画像投影部と、
前記有効画素に視差画像を表示し、前記冗長画素に黒表示する前記表示パネルを駆動する駆動回路と、
を具備することを特徴としている。
【００１２】
更に、本発明の一態様に係る立体表示装置の調整方法は、  ２次元マトリクス状に行列に配列された複数の画素が設けられた画像表示面を有する画像表示パネルと、
前記画像表示面上に配置され、周期構造を有し、前記画素に表示される視差画像の投影方向を限定する視差画像投影部と、
この視差画像投影部にこの投影部と表示パネルとを位置合わせする為に設けられた第１のマーカと、
前記画像表示面に設けられ、基準位置マーク及びこの基準位置マークに対し前記画素ピッチで配列されたてた参照位置マークを有する第２のマーカであって、前記第１マーカを前記基準位置マーク或いは参照位置マークに位置合わせして前記視差画像投影部と前記画像表示パネルとを前記画素ピッチで調整して位置合わせする為の第２のマーカと、
を具備する立体表示装置の調整方法において、
前記複数の画素中の不良画素を特定し、
この不良画素が前記画像表示面の中央領域に生じている場合に、前記視差画像投影部の周期構造の境界に当該不良画素が対向されるように前記第１マーカを前記基準位置マーク或いは参照位置マークに位置合わせすることを特徴としている。
【発明の効果】
【００１３】
本発明は点欠陥の生じた画像表示パネルであっても、良好な表示品位の立体画像表示装置を提供することが可能となる。
【図面の簡単な説明】
【００１４】
【図１】この発明の一実施の形態に係るＩＩ方式の立体画像表示装置を概略的に示す斜視図である。
【図２】図１に示した立体画像表示装置の一部断面を概略的に示す断面図である。
【図３】図１に示した立体画像表示装置の断面の全体を模示的に示す断面図である。
【図４】図３に示した立体画像表示装置における不良画素の投影を説明する為の主光線の光線軌跡を模示的に示す断面図である。
【図５】図３に示した立体画像表示装置におけるにおける不良画素の投影影響を実質的に除いた主光線の光線軌跡を模示的に示す断面図である。
【図６】図３に示した立体画像表示装置の表示パネルを概略的に示す平面図である。
【図７】図３に示した立体画像表示装置のシリンドリカルレンズアレイを概略的に示す平面図である。
【図８】図３に示した立体画像表示装置における画像表示パネルにシリンドリカルレンズアレイを実装し、固定するための製造工程を示すフローチャートである。
【図９】図３に示した立体画像表示装置における主光線と視域の関係を示す模式図である。
【図１０】図８の製造工程で参照されるルックアップテーブルを作成するに際の図３に示した立体画像表示装置における光学系のディメンションを示す模式図である。
【図１１】図３に示した立体画像表示装置の駆動回路を概略的に示すブロック図である。
【図１２】図３に示した立体画像表示装置の表示パネルの一構造を概略的に示す平面図である。
【図１３】図１１に示される画像表示パネルに映像信号を表示させるための列ドライバの出力と接続される非表示画素列、表示画素列との対応関係を説明する為の説明図である。
【図１４】図１２に示される列ドライバが出力する画素信号を時系列で示す模式図である。
【図１５】図１２に示される画像表示パネルに映像信号を表示させるための列ドライバの出力と接続される非表示画素列、表示画素列との対応関係を説明する為の説明図である。
【図１６】図１２に示される列ドライバが出力する画素信号を時系列で示す模式図である。
【図１７】図３に示した立体画像表示装置の他の実施例に係る表示パネルの構造を概略的に示す平面図である。
【図１８】図３に示した立体画像表示装置の他の実施例に係る表示パネルの構造を概略的に示す平面図である。
【発明を実施するための形態】
【００１５】
以下、必要に応じて図面を参照しながら、この発明の一実施の形態に係る立体画像表示装置を説明する。
【００１６】
図１は、この発明の一実施の形態に係るＩＩ方式の立体画像表示装置を概略的に示している。
【００１７】
図１に示される立体画像表示装置では、水平方向（ｘ方向）に沿って視差画像を表示する視差画像表示装置（平面表示パネル）１２を備え、この平面表示パネル１２の画面前面には、略水平方向（ｘ方向）に与えられた視差画像を観察者(図示せず）側の視域に投影する為に視差画像投影部としてのシリンドリカルレンズアレイ１０が配置されている。ＩＩ方式における視域は、Ｚ方向の平面表示パネル１２の前方に定められ、この視域内において、観察者が投影された視差画像によって立体画像を正しく認識することができる領域に定められている。シリンドリカルレンズアレイ１０は、光線を制御する光線制御素子としての機能が与えられ、パララクスバリア或いは視差バリアとも称せられる。平面表示パネル１２は、画素が表示される画素素子配列１１がマトリックス状に配列された画素面（表示パネルの表示面）１２Ａを備え、この画素面１２Ａは、実質的に水平及び垂直方向に画素が行列(マトリックス状）に配置されている。このような表示装置としては、液晶パネル、自発光タイプの表示装置（表示部）、例えば、有機ＥＬパネル、プラズマ表示装置或いは電界放出型表示装置等の表示装置がある。
【００１８】
シリンドリカルレンズアレイ１０は、各シリンドリカルレンズ１０Ａが略垂直方向（Ｙ方向）に沿って延出され、多数のシリンドリカルレンズ１０Ａが水平方向に沿って配置されて構成されている。ここで、シリンドリカルレンズ１０Ａが垂直方向（Ｙ方向）に沿って延出されるとは、垂直方向（Ｙ方向）に対して９０°より小さいある角度を成して延出される場合を含む。各シリンドリカルレンズ１０Ａは、シリンドリカルレンズアレイ１０の前方に画像が投影されるようにシリンドリカルレンズ１０Ａの焦点面或いは焦点面近傍に画素面１２Ａが配置されている。シリンドリカルレンズ１０Ａは、片凸或いは両凸のいずれであっても良い。
【００１９】
図２を参照してシリンドリカルレンズアレイ１０を用いた光学系における画素面１２Ａに表示された画像を選択して投影する原理を説明する。図２に示される光学系では、シリンドリカルレンズアレイ１０は、屈折率ｎを有し、屈折率１を有する空気に接しているものとする。また、表示パネル１２は、夫々に視差画像が表示される多数の表示素子が基板１２Ｃ上に配列形成され、多数の表示素子で形成される表示面１２Ａには、屈折率ｎを有する透明基板１２Ｂが載置されているものとする。この透明基板１２Ｂ上には、シリンドリカルレンズアレイ１０の平坦な面が載置されて両者間には、間隙が形成されていないものとする。
【００２０】
図２に示される光学系では、シリンドリカルレンズアレイ１０の集光点（焦点）２０が画像表示面１２Ａに配置される画素１３上に位置されているものとする。このような光学系では、レンズピッチｐに相当する画像表示面１２Ａの領域に含まれる１つの画素１３は、シリンドリカルレンズ１０Ａでレンズピッチ全面に拡大されて投影表示されることになる。即ち、シリンドリカルレンズ１０Ａの光軸１８上の焦点２０に位置されるある画素１３ａからは、主光線１６ａがシリンドリカルレンズ１０Ａの光軸１８上を進み、方向Ａ‘に位置する観察者（図示せず）に向けられる。画素１３ａからシリンドリカルレンズ１０Ａ間の境界１０Ｂに向けられる光線は、シリンドリカルレンズ１０Ａのレンズ面２１で屈折されて主光線に平行に進み、同様に方向Ａ‘に位置する観察者に向けられる。また、シリンドリカルレンズ１０Ａ間の境界１０Ｂに対向するシリンドリカルレンズ１０Ａの集光点２２に位置される画素１３ｂからは、主光線１６ｂがシリンドリカルレンズ１０Ａのレンズ面２１の中心に向けられ、このレンズ面２１で屈折されて方向Ｂ‘に位置する観察者に向けられている。画素１３ｂからシリンドリカルレンズ１０Ａ間の境界１０Ｂに向けられる光線は、シリンドリカルレンズ１０Ａのレンズ面２１で屈折されて主光線に平行に進み、同様に方向Ｂ‘に位置する観察者に向けられる。観察者の側からは、観察者が方向Ａ’からシリンドリカルレンズ１０Ａのレンズ面２１を観察する場合には、画素１３ａが拡大して観察され、また、観察者が方向Ｂ’からシリンドリカルレンズ１０Ａのレンズ面２１を観察する場合には、画素１３ｂが拡大して観察されることとなる。換言すれば、観察者の視点が水平方向に移動することで、レンズ１０Ａを観察する画角が変化され、拡大表示される画素が切り替わることとなる。この画素１３ａ，１３ｂの画素ドット上に各々視線方向Ａ‘，Ｂ’に対応する画像情報が表示されると、レンズピッチに相当する画素領域に含まれる画素ドット数分の視線方向について対応する画像を切り替え表示することが可能となる。
【００２１】
１つのシリンドリカルレンズ１０Ａに対向しシリンドリカルレンズ１０Ａ間の境界１０Ｂに対応する画素１３ｂ間の間隔は、レンズピッチｐに略等しく定められる。従って、各シリンドリカルレンズ１０Ａの光軸上に配置される中心画素１３ａ或いは中心画素１３ａの境界は、レンズピッチｐで画像表示面１２Ａ上に配列される。換言すれば、レンズピッチｐは、画素１３間ピッチの整数倍或いは整数倍に近似した値に定められている。従って、視線方向Ａ‘或いはＢ’方向で画像表示面１２Ａを観察する観察者の目(視点）には、レンズピッチｐで画像表示面１２Ａ上に配列されている複数の画素１３ａ或いは１３ｂからの画像が拡大されて入射される。複数の画素１３ａ或いは１３ｂからの画像が拡大投影されることは、図２の光学系から明らかなように各シリンドリカルレンズ１０Ａからは、視線方向Ａ‘或いはＢ’方向に向けられる主光線に平行な光線が観察者に向けられることをも意味している。
【００２２】
ここで、視線方向Ａ‘，Ｂ’に応じて画像表示面１２Ａ上に表示される画像を視差画像と称する。また、複数視差を有するとは、このように複数の視差画像が対応する視線方向に切り替え表示可能なことを意味している。画像の切り替わる角度が十分細かく、且つ、視点位置において画像の切り替わる水平ピッチが観察者の眼間距離よりも狭ければ、観察者は、左右両眼で異なる画像を観察することになるので、立体像を観察することが可能となる。
【００２３】
ところで、レンズアレイ１０は、画像表示面１２Ａ、即ち、画素ドット面上近傍に配置され、レンズピッチｐは、画素ドットのピッチの整数倍かそれに非常に近い値に設定されている。上述したレンズピッチｐと画素ピッチｕの関係は、ＩＩ方式若しくはＩＰ方式で立体画像が表示されることを意味している。ＩＩ方式若しくはＩＰ方式とは表示原理が異なる多眼式では、観察者の視点(左右の目）に光線が集中される光学系が採用され、左右の目の網膜上に左眼用及び右眼用の画像が形成される。これに対して、ＩＩ方式若しくはＩＰ方式では、観察者の視点に光線が集中されない光学系が採用され、表示すべき立体画像として互いに平行な光線が観察者に向けられるような光学系が採用され、画像表示面１２Ａには、表示すべき立体画像として、表示物体からの反射光を平行光線郡として表現した視差画像を複数枚剛性したものが表示される。このような複数の視差画像表示は、画面に対し左右上下方向についてニ次元的に切り替えることが望ましいが、通常の表示では、水平視差を重視して切り替えを画面水平方向のみとして、水平視差のみ付与している。水平視差を与える光学系では、レンズアレイ１０は、画面水平方向のみにレンズ作用を持つことが必要であることから、上述したように、レンズアレイ１０としてシリンドリカルレンズアレイ（レンチキュラ−シート、レンチキュラ−レンズ）が用いられている。
【００２４】
図３及び図４には、ＩＩ方式の立体画像表示装置における表示部１２の全体の構造が示されている。図３及び図４においては、シリンドリカルレンズアレイ１０を介して画像表示パネル１２の画素を観察可能な方向を主光線１６ａ、１６ｂの方向として示している。図３及び図４から明らかなように、シリンドリカルレンズアレイ１０と画素１３との位置関係は、主光線１６ａ、１６ｂの方向を基準に定まり、シリンドリカルレンズアレイ１０を画像表示パネル１２の画素配列に対して正確に位置決めする必要がある。即ち、図３及び図４に示される光学系では、シリンドリカルレンズ１０Ａのレンズピッチｐで定まる表示パネル１２上の領域には、ｍ個（ｍは整数）の画素１３が配列される。ｍが奇数であれば、レンズピッチｐの領域の中心に位置する画素１３ａの中心から主光線１３ａが射出され、シリンドリカルレンズ１０Ａの光軸１８に沿って主光線が進むようにシリンドリカルレンズアレイ１０と表示パネル１２の画素表示面１２Ａとが位置合わせされる。また、ｍが偶数であれば、レンズピッチｐの領域の中心に位置する互いに隣接する画素１３ａ間の境界から主光線が射出された場合（画素の境界からは光線が射出されないため、仮想的に主光線が射出された場合）に、シリンドリカルレンズ１０Ａの光軸に沿って主光線が進むようにシリンドリカルレンズアレイ１０と表示パネル１２の画素表示面１２Ａとが位置合わせされる。
【００２５】
シリンドリカルレンズアレイ１０がｋ個（ｋは整数）のシリンドリカルレンズ１０Ａで構成される場合には、表示パネル１２は、ｋ×ｍ個以上の数の画素１３を備え、シリンドリカルレンズアレイ１０と表示パネル１２の画素表示面１２Ａとが位置合わせされると、最外周のシリンドリカルレンズアレイ１０に対向されるレンズピッチｐの画素領域外には、立体画像表示に利用されないｑ個（ｑは整数）の冗長画素１４が生じている。シリンドリカルレンズ１０Ａに対向されない冗長画素１４は、図３及び図４から明らかなように表示パネル１２の水平方向の外周両側の領域に設けられている。図３及び図４に示される例では、表示パネル１２の水平方向の左右の領域には、夫々ｑ／２個、例えば、３個の冗長画素１４が設けられている。従って、この例では、表示パネル１２は、（ｋ×ｍ＋ｑ）個の画素１３を備えている。
【００２６】
図４に、画像表示パネル１２において不良画素１５が発生した様子を示している。図４においては、１つのレンズ１０Ａに割り当てられるレンズピッチｐの領域内には、７個（＝ｍ）の画素が配列され、水平方向の配列の順序で各画素１３に列番号１〜７が付されている。ここで、ｍが奇数であることから、レンズピッチｐの領域内の列番号４で指定される中心画素１３ａ上をシリンドリカルレンズ１０Ａの光軸が通過得するように定められている。既に説明したようにｍが偶数でれば、レンズピッチｐの領域内の互いに隣接する２つの中心画素１３ａ間の境界上をシリンドリカルレンズ１０Ａの光軸が通過される。
【００２７】
もし、１つの不良画素１５が１つのレンズに対して割り当てられている画素番号１〜７のうち、中央となる列４に生じている場合には、特に、不良画素１５が画像表示パネル１２の略中心領域に属し、シリンドリカルレンズ１０Ａに対向されるレンズピッチｐ内の領域の中央に位置する列４に生じている場合には、不良画素１５は、パネル表示面１２Ａに対して垂直方向、即ち、観察者の正面方向に拡大されて視認される。
【００２８】
近年、通常の平面画像を表示する表示装置は、多画素化並びに高精細化が進み、点欠陥が１つ生じても良品として判定される傾向にある。しかし、図２を参照して説明したように、レンズアレイ１０を用いた立体画像表示装置では、平面画像を表示する表示装置とは異なり、レンズ効果により点欠陥となった不良画素１５がレンズピッチｐにまで拡大されて投影されてしまうため、良品として判定することができず、歩留りが低下してしまう問題がある。
【００２９】
この発明の立体画像表示装置の実施例においては、不良画素１５が拡大されて投影される不良画素１５による影響を最小限に留め、立体画像表示装置の製造歩留りを向上する対策を施している。この対策について、下記の実施例を参照しながら以下に詳細に説明する。
【００３０】
尚、本発明立体画像表示装置の構成は、以下に述べる実施例に留まるものではなく、発明の実施形態および実施例において述べた構成の各部をさまざまに組み合わせた形態をとることが可能であることはいうまでもないことを注記しておく。また、重複説明を避けるために、以下の説明で参照される図面において、図１から図４に付した符号と同一の符号を同一部材或いは同一部分に付して説明を省略し、説明を簡素化していることに注意されたい。
【００３１】
図５は、本発明の実施例に係る立体画像表示装置の基本的構造を断面図として示している。図５に示される画像表示装置では、シリンドリカルレンズ１０Ａの光軸に略一致するz軸の正方向に画像が表示され、表示面側の全面に光学的に画像を選択する選択部としてシリンドリカルレンズアレイ１０が設けられている。画像表示パネル１２は、所定の表示画素列（ｋ×ｍ列）よりも多くの画素列を有し、画素列数ｑの画素列が表示画素列（ｋ×ｍ列）に冗長画素列の画素１４として用意されている。
【００３２】
図４に示される立体画像表示装置においては、この冗長画素１４の画素列は、所定の表示画素列（ｋ×ｍ列）の両側に均等に配分されている。また、表示パネル１２の中央領域において、レンズピッチｐに相当する画素面１２Ａの領域内で中心画素１３ａが不良とされる不良画素１５が生じ、ｍが奇数であれば、不良画素１５上にシリンドリカルレンズ１０Ａの光軸が通過し、ｍが偶数でれば、レンズピッチｐの領域内の互いに隣接する２つの中心画素１３ａ間の境界をシリンドリカルレンズ１０Ａの光軸が通過することとなる。
【００３３】
図５に示される立体画像表示装置においては、シリンドリカルレンズ１０Ａが表示パネル１２に対して相対的に画素列数ｑだけシフトされて冗長画素１４の画素列の殆どは、所定の表示画素列（ｋ×ｍ列）の一方の側に偏在して配分されている。その結果、図５に示される立体画像表示装置においては、図４に示される立体画像表示装置とは異なり、不良画素１５上或いは互いに隣接する不良画素１５と他の画素との境界上にシリンドリカルレンズ１０Ａの光軸が通過することがなく、不良画素１５が光軸方向に拡大して投影されることが防止される。
【００３４】
シリンドリカルレンズ１０Ａが表示パネル１２に対して相対的にシフトする為に図６及び図７に示すように画像表示パネル１２及びシリンドリカルレンズアレイ１０には、夫々位置合せマーカ２５及び位置合せマーカ２７が設けられている。
【００３５】
図６は、図５に示される画像表示パネル１２の正面図を示している。画素１３からなる表示画面１２Ａ、より具体的には、基板１２Ｃ或いは透明基板１２Ｂの周辺部２６には、位置合せマーカ２５として十字マークが４隅に記されている。この位置合せマーカ２５は画素素子配列１１を形成するプロセスにおいて、画素素子配列１１外の基板１２Ｃの周辺部に、例えば、マスク露光などで画素１２の形成と同時に設けることができるため、画素位置に対して1μm程度の誤差で位置合せマーカ２５を設けることが可能である。
【００３６】
図７は、図５に示されるシリンドリカルレンズアレイ１０の正面図を示している。このシリンドリカルレンズアレイ１０のレンズ周辺部２８にも画像表示パネル１２の十字マーク２５に対応する位置４隅に位置合せマーカ２７が設けられている。こちらのマーカ２７には、レンズ１０Ａをレンズ面２１の水平方向で、且つ、レンズの稜線に対して垂直方向（紙面の左右方向）に1画素列ずつずらして位置合わせできるよう、画素列と同ピッチで縦方向に延出される直線マークが複数本刻まれている。マーカ２７は、基準直線マーク２７Ａ及びこの基準直線マーク２７Ａに平行に画素列と同ピッチで配列された複数の補助直線マーク２７Ｂから構成されている。
【００３７】
図６に示した十字マーク２５は、図８に示す工程において図７に示す直線マーク２７Ａ或いは２７Ｂに位置合わせされてシリンドリカルレンズアレイ１０が画像表示パネル１２に位置合わせされる。不良画素、即ち、不良画素１５が画素素子配列１１にある場合には、図９を参照して説明されるように不良画素１５が図５に示されるように互いに隣接するシリンドリカルレンズ１０Ａ間の境界付近に対向するようにシリンドリカルレンズアレイ１０と画像表示パネル１２とが位置合わせされる。
【００３８】
図８は、画像表示パネル１２にシリンドリカルレンズアレイを実装、固定するための製造工程を示すフローチャートの一例を示している。図８に示すようにステップＳ０２において、視差画像表示部１２としての表示パネルが製造され、この表示パネル１２が検査される。即ち、ステップＳ０４に示すように表示パネル１２の画素１３が点灯可能となった製造段階で、ステップＳ０５に示すように画素１３の点灯検査により不良画素１５の有無が検出される。不良画素１５が見つからなかった場合には、ステップＳ０６に示すように表示パネル１２の十字マーク２５がシリンドリカルレンズアレイ１０の基準直線マーク２７Ａに一致されるように位置合わせされて表示パネル１２がシリンドリカルレンズアレイ１０上に固定される。ステップＳ０８に示されるように、両者が固定されて表示装置として完成させる後工程が実施される。表示パネル１２の十字マーク２５がシリンドリカルレンズアレイ１０の基準直線マーク２７Ａに一致されるように位置合わせされる位置合わせでは、図３に示されるように不良画素１５がないとことから、通常、冗長画素１４は、表示パネル１２の周辺に等分に分配される。図３に示す例では、表示パネル１２の周辺には、夫々３個の冗長画素１４が分配される。
【００３９】
これに対して、不良画素１５が見つかった場合には、その不良画素の数及び発生位置が特定される。不良画素の位置は、行及び列番号（ｘｉ，ｙｊ）で指定され、不良画素を有するパネル１２をシリアル番号で特定してこのシリアル番号との関係で不良画素１５の行及び列番号（ｘｉ，ｙｊ）が外部の記憶装置(図示せず）に記憶される。シリアル番号は、パネル１２に付されても良く、或いは、パネル１２にシリアル番号を付すると共に不良画素１５の行及び列番号（ｘｉ，ｙｊ）がパネル１２に外部から読み込み可能に記号等で刻印されても良い。
【００４０】
次に、不良画素の数及び発生位置が特定されたパネル１２に関して、ステップＳ１２に示すように、そのパネル１２に生じた不良画素１５をリペアするかを判定する。この判定は、不良画素の数及び発生位置に依存して決定される。パネル１２がリペア処理するまでもない不良品であると判定される場合には、パネル１２自体が不良品であるとしてステップＳ１４に示すように破棄処分される。
【００４１】
ステップＳ１２において、リペアを実施することとした表示パネル１２については、ステップＳ１４に示すようにレーザー加工処理などによりリペアが実施される。例えば、輝点となった不良画素１５が断線、或いは、ショートさせることにより滅点化（定常黒表示処理）される。このとき、リペアすべき不良画素１５の位置は、光学的、或いは、電気的に位置を検出することは可能であるから、ステップＳ１６に示すように不良画素の座標位置（ｘｉ，ｙｊ）を基にしてシリンドリカルレンズ１０のずらし量が算出され、ステップＳ０６に示すようにシリンドリカルレンズ１０が表示パネル１２に実装され、固定される。ここで、画素ピッチ単位でずらし量が決定されることから、ずらすべき画素ピッチ数に応じて表示パネル１２の十字マーク２５は、シリンドリカルレンズアレイ１０の基準直線マーク２７Ａからずれた参照直線マーク２７Ｂに一致されるように位置合わせされる。十字マーク２５が位置合わせされるべき参照直線マーク２７Ｂと基準直線マーク２７Ａとの間隔がシリンドリカルレンズアレイ１０のずらし量に相当している。表示パネル１２がシリンドリカルレンズアレイ１０上に位置合わせされた後、シリンドリカルレンズアレイ１０が表示パネル１２上に固定される。不良画素１５が見つかった場合には、その不良画素の数及び発生位置が特定される。シリンドリカルレンズアレイ１０のずらし量は、不良画素１５の行及び列番号（ｘｉ，ｙｊ）と同様にパネル１２のシリアル番号と共に外部の記憶装置(図示せず）に記憶され、シリアル番号を参照することによって読み出すことができることが好ましい。
【００４２】
シリアル番号は、パネル１２に付されても良く、或いは、パネル１２にシリアル番号を付するとともにシリンドリカルレンズアレイ１０のずらし量がパネル１２に外部から読み込み可能に記号等で刻印されても良い。
【００４３】
上述した製造過程のフローチャートに従って、シリンドリカルレンズアレイ１０をずらして実装すると、図５に示される立体画像表示装置の構造例が製造される。図５に示された構造例では、レンズをずらして実装したために、滅点化された不良画素１５は、レンズに割り当てられた画素列番号１〜７のうち、シリンドリカルレンズ１２Ａの境界に対向する画素列番号７に割り当てられる。画面に対して斜め方向で、且つ、立体像が正しく観察できる境界部からでないと不良画素１５は、観察できないことになり、不良画素１５がシリンドリカルレンズ１２Ａの中央に対向している図４に示す構造例と比較すると、画面正面方向に対して良好な表示品位の立体画像表示装置が提供可能なことが容易に理解することができる。冗長画素１７のうち、表示に関与しない画素については、パネル１２の動作時には、非表示画素１７として定常黒表示（滅点処理あるいは滅点化処理）とされる。
【００４４】
図４及び図５の構造例を比較すると、表示パネル１２の中央領域において、レンズ１０Ａの中央部に対向するように割り当てられている画素列番号４に相当する不良画素１５は、シリンドリカルレンズ１０Ａがずらされて表示パネル１２に実装され、固定されることにより、不良画素１５が視域の境界となる画素番号７に移動されていることが分かる。この実施例１では、１レンズピッチｐ当たりの画素数ｍは、奇数である７であるから、不良画素１５を画素番号４から視域境界の画素番号７まで、画素ピッチで３列分を移動したことになる。レンズ１２Ａの中央部の画素番号から境界となる画素の位置まで移動しているから、レンズ１２Ａのずらし量としてはこの場合、最大左右にそれぞれ３列分確保できていれば良く、これは１レンズピッチｐ当たりの画素数（視差数）７から１を減じた数の１／２、すなわち整数値３に等しい。
【００４５】
一般化すると、１レンズピッチｐ当たりの領域内に画素数ｍの画素が配置され、不良画素１５が表示パネル１２の中央領域において、レンズ１０Ａの中央部に対向するように生じている場合であって、ｍが奇数であれば、ｍから１を減じた数の１／２（整数値）だけシリンドリカルレンズ１０Ａがずらされて表示パネル１２に実装され、固定されれば、不良画素１５は、視域の境界に光線が向けられる互いに隣接するレンズ１０Ａ間の境界付近に対向し、１レンズピッチｐの領域内の最外周画素列に移動されることとなる。従って、不良画素１５は、視域の境界に投影され、視域内で表示パネル１２を観察する観察者には、不良画素１５と認識し難いこととなる。
【００４６】
上記一般化において、ｍが偶数であれば、ｍから１を減じた数の１／２について、小数点以下を切り捨てた値（整数値）だけシリンドリカルレンズ１０Ａがずらされて表示パネル１２に実装され、固定されれば、不良画素１５は、視域の境界に光線が向けられる互いに隣接するレンズ１０Ａ間の境界付近に対向し、１レンズピッチｐの領域内の最外周画素列に移動されることとなる。ｍが偶数である８であれば、ｍ（＝８）から１を減じた数（＝７）の１／２（＝３．５）について小数点以下を切り捨てた値（＝３）だけシリンドリカルレンズ１０Ａがずらされて表示パネル１２に実装される。列番号４又は５に配置された画素であれば、列番号１（＝４−３）又は列番号８（＝５＋３）に再配置されることとなる。すなわち、画素ピッチｕを単位とする最大のずらし量Ｍ（整数値）は、
Ｍ＝ＩＮＴ｛（ｍ−１）／２｝                （１）
として求められる。ここで、ＩＮＴは小数点以下を切り捨てて整数値とする関数を表わす。
【００４７】
尚、ここで説明した例のように、図４に示すようにレンズ１２Ａの中央直下にある画素１５が画面正面方向に対して視認される画素とは限らないため注意を要する。
【００４８】
図９は、ＩＩ方式の立体画像表示装置における視域と主光線との関係を示している。図９には、立体像が画面全体に渡って正常に見える範囲である視域３１が斜線で示されている。また、表示パネル１２上には、レンズ１２Ａに割り当てられているレンズピッチｐの領域が互いに隣接して配列されているが、この領域の境界部分に配置される画素１３が視域境界画素３３として示されている。画面の周辺部に位置するレンズ１２Ａでは、レンズ１２Ａの直下にある画素がこのレンズ１２Ａで前方に投影されるように割り当てられず、図９に示されるように、レンズ１２Ａの直下に無い画素１３までが視域の中央付近で視認されるように投影されている。従って、不良画素１５が画面正面方向に視認されるような問題となる位置に発生しているかどうかは、単純なレンズの周期計算ではなく、予め数値計算により求めたルックアップテーブル(図示せず）との対比などにより判定する必要がある。図８のステップＳ１２に示すリペア判定においては、このルックアップテーブルが参照され、不良画素１５が画面正面方向に視認され、問題となる位置に発生しているかどうかが判定される。
【００４９】
ルックアップテーブル生成にあたっては、例えば、図１０を参照して説明される以下の方法で計算することが可能である。標準的な視距離として設計視距離をＬ、レンズ基準面（観察者側レンズ主点面）から画素までの光学距離（空気換算距離）をｇとする。ここで、ｇはレンズから画素間の実距離をｄ、屈折率をｎとすると
ｇ＝ｄ／ｎ                                （２）
である。画素面上におけるレンズ割り当て間隔ｐ’は、図１０に示されるように
ｐ’＝（Ｌ＋ｇ）ｐ／Ｌ                    （３）
で与えられる。ここで、レンズピッチｐに対して配列される画素のピッチ、すなわちｍ×ｕがｐ’に等しい
ｐ’＝ｍｕ                                （４）
の場合が多眼式の条件である。例えば、Ｌ＝１０００ｍｍ、ｇ＝５ｍｍ、ｍ＝８、ｕ＝０．０５ｍｍとすれば、レンズピッチｐは０．３９８０ｍｍとなる。この場合、レンズピッチに対し、画素はｍ個配置されるので、画面中央から不良画素までの画素数を数え、ｍで剰余を求めることにより不良画素が割り当てられたレンズに対しどの位置にあるか、すなわちレンズずらし量を求めることが可能となる。例えば、不良画素が画面中央から数えて２８０画素列左にある場合、表示画素数は偶数列、レンズは奇数列存在するとし、ｍ＝８とすれば、画面中央のレンズ列に割り当てられた画面左側に位置する画素数４を勘案し、更にレンズに割り当てられる画素列を左から順に１、２、・・・とすれば、（２８０−４）ｍｏｄ８＋１＝５から、不良画素はレンズに対し左から５番目に割り当てられた画素であることが分かる。すなわち、この不良画素をレンズ割り当ての境界部にずらすためにはレンズに対し８番目の画素とすれば良いので、レンズを左側に画素３列分ずらせば良いことになる。
【００５０】
一方、ＩＩ若しくはＩＰ方式では、レンズピッチｐをレンズに対して配列される画素ピッチに等しくする。すなわち、
ｐ＝ｍｕ                                  （５）
とする。例えば、Ｌ＝１０００ｍｍ、ｇ＝５ｍｍ、ｍ＝８、ｕ＝０．０５ｍｍとすれば、レンズピッチｐは０．４ｍｍであり、レンズ割り当て間隔ｐ’は０．４０２ｍｍである。レンズ本数２５本分のレンズ割り当て間隔積算値は１０．０５ｍｍとなり、１画素分ずれることになる。従って、レンズ割り当て間隔を基準量として、レンズに割り当てられる画素を考慮する。例えば、不良画素が画面中央から数えて２８０画素列左にあり、表示画素数は偶数列、レンズは奇数列存在するとし、ｍ＝８、ｕ＝０．０５ｍｍとすれば、画面中央から不良画素の左端までの距離は２８０×０．０５＝１４ｍｍ、画面中央のレンズ列に割り当てられた画面左側１／２のレンズ割り当て間隔を考慮し、１４ｍｍを上回る最小のレンズ割り当て間隔積算量は０．４０２×３５＋０．２０１＝１４．２７１ｍｍとなる。従って、画面中央に存在するレンズを除き、３５本目となる画面からのレンズ基準位置から不良画素基準位置までの距離は０．２７１ｍｍであるから、不良画素のレンズ割り当て位置は０．２７１／０．０５＝５．４２、すなわち左から数えて６番目に割り当てられた画素である。従ってレンズずらし量は左側方向に画素２列分となる。
【００５１】
次に、表示に利用しない冗長画素１４，１７を非表示画素とする方法について説明する。図１１は、画像表示パネル１２の画素に映像信号を表示させるための表示駆動回路のブロック図を示している。図１１に示される表示駆動回路は、外部から映像信号(ビデオ信号）が供給されるドライバ駆動回路４９を備え、このドライバ駆動回路４９には、外部の入力装置から図８のステップＳ１６で定まったレンズ１２Ａのずらし量に相当するシフト値が設定される。このレンズ１２Ａのずらし量に相当するシフト値は、参照直線マーク２７Ｂと基準直線マーク２７Ａとの間隔から読み出されても良く、或いは、外部の記憶装置(図示せず）にパネル１２のシリアル番号と共に記憶されたずらし量に相当するシフト値が読み出されて良い。また、パネル１２にシリアル番号とともにシリンドリカルレンズアレイ１０のずらし量が刻印されている場合には、この刻印を読み出すことによって読み出されても良い。
【００５２】
ドライバ駆動回路４９は、映像信号から各行毎のライン画像信号を生成し、列ドライバ４３に供給するとともに表示パネル１２の各行を選択する制御信号を生成して行ドライバ４４に供給している。ここで、列ドライバ４３は、列Ｒ１からＲＮに対応してＮ本の出力ピンを有し、画面両端の冗長画素（非表示画素）１４の画素列５０に対しても電気的に接続されているものとする。
【００５３】
レンズ１２Ａのずらし量がなく、シフト値が零である場合には、各画像フレームを表示パネル１２に表示するために次々とライン画像信号が列ドライバ４３に供給され、供給されたライン画像信号に応じて行ドライバ４４が各行を選択的に駆動することによって画像フレームが表示パネル１２に表示される。この表示では、冗長画素１４が図４に示されるようにシリンドリカルレンズ１０Ａに対向される有効表示画素列４９外に配分されているためライン画像信号の前後に冗長画素１４に相当する黒信号が付加されて黒信号が前後に付加されたライン画像信号が列ドライバ４３に供給される。従って、冗長画素１４は、黒で表示され、その間の有効表示画素にライン画像が表示される。後に述べるように冗長画素１４が減点化処理されている場合には、冗長画素１４に相当する黒信号が付加されなくともよく、有効表示画素のみにライン画像が表示されればよい。
【００５４】
レンズ１２Ａがあるずらし量でずらして位置合わせされる場合には、ずらし量に相当するシフト値がドライバ駆動回路４９に設定されている場合には、図５に示される冗長画素１７に相当する黒信号がライン画像信号に付加され、不良画素１７に相当する画素の信号が同様に黒画素信号に置き換えられて新たなライン画像信号が生成される。この新たなライン画像信号が列ドライバ４３に供給されることから、従って、冗長画素１７は、黒で表示されるとともに、不良画素１５が黒表示されるように有効表示画素にライン画像が表示される。図５の例では、冗長画素１７に相当する先頭の６画素の信号が黒画素信号に置き換えられ、この黒画素信号に続いてライン画像信号が続き、ライン画像信号中の不良画素１５に相当する画素信号が黒画素に置き換えられて新たなライン画像信号が生成されてこの新たなライン画像信号が列ドライバ４３に供給される。後に述べるように冗長画素１７が減点化処理されている場合には、冗長画素１７に相当する黒信号が付加されなくともよく、有効表示画素のみにライン画像が表示されればよい。
【００５５】
上述した説明は、説明の便宜上カラー表示についての説明を省略した。以下、ＲＧＢ三原色の画素を用いたカラー配列について説明する。
【００５６】
図１〜図１１に示される表示パネル１２の各画素１３が画素１３（Ｒ）、１３（Ｂ）及び１３（Ｇ）で構成され、これらの画素１３（Ｒ）、１３（Ｂ）及び１３（Ｇ）が図１２に示されるように列方向に同色で配列され、３行画素１３（Ｒ）、１３（Ｂ）及び１３（Ｇ）で１画素１３が構成される表示パネル１２（横ストライプ型の表示パネル）であれば、上述したようにレンズ１２Ａをずらす対策で比較的違和感のない立体画像を表示することができる。即ち、レンズ１２Ａが表示パネル１２に対して相対的にある画素ピッチ)の値だけ列方向にずらすことによって、不良画素１５に含まれる画素１３（Ｒ）、１３（Ｂ）及び１３（Ｇ）の全てを互いに隣接するシリンドリカルレンズ１２Ａの境界付近に対向させることができる。しかも、不良画素１５に含まれる画素１３（Ｒ）、１３（Ｂ）及び１３（Ｇ）を定常黒表示することによって、より違和感のない立体画像を表示することができる。
【００５７】
図１２に示される不良画素１５（Ｇ）は、次のようにして斜線で示すように減点化されても良い。図１２には、有効表示画素列４９及び非表示画素列５０が拡大されて示されている。図１２では、図を簡素化するために、非表示画素列５０は、片側２列として示している。画素１３の画素１３（Ｒ），１３（Ｇ）及び１３（Ｂ）の夫々には、ＴＦＴ（Thin Film Transistor、薄膜トランジスタ）４１が形成され、ＴＦＴ４１を動作制御するゲートドライバとして行ドライバ４４、画像信号電圧を書き込むための列ドライバ４３が接続されている。不良画素１５に含まれる画素１５（Ｇ）が定常黒表示されるように滅点化するためには、画像表示装置の動作原理、構造に依るが、例えば電圧無印加時に白表示、電圧印加時に定常黒表示となるノーマリホワイトの液晶表示素子の場合、常に画素電極に対して定常黒表示に必要な電圧が印加されるように、レーザー加工などによりＴＦＴ４１を無効化するように配線がショートされれば良い。このとき、表示に使用しない非表示画素列５０も不良画素の位置から算出可能であるので、不良画素のリペアと同工程において表示に使用しない冗長画素１７の列も斜線で示すように滅点化し、非表示画素列５０とすれば製造効率が良い。
【００５８】
図１３に示されるように列ドライバ４３は、非表示画素列５０に接続している出力ピンが高インピーダンスに維持し、表示に使用する画素列（図１３においては、Ｒ４〜Ｒ（Ｎ−３）までの（Ｎ−６）列数）の出力ピンに対して１水平期間を割り当て、動作させれば良い。即ち、図１４に示されるように1水平期間に表示される画素或いは画素数は、水平パネル１２の画素或いは画素数Ｎから非表示画素列５０の数６を減算した数（＝Ｎ−６）に相当し、この（Ｎ−６）列が画素駆動期間に配分され、画素列Ｒ４〜Ｒ（Ｎ−３）に印加する画素信号が表示画素列に接続されているピン番号４〜Ｒ（Ｎ−３）に印加されれば良い。
【００５９】
本実施例においては、非表示画素列が物理的に滅点化処理されているため、列ドライバの出力ピン数が表示画素列数分しか持たず、冗長な出力ピン数が無い場合については、非表示画素列の端子を別途共通電極に繋ぐなど電位を安定化させる対策をすれば列ドライバの信号出力ピンを非表示画素列に接続しなくても良い。この場合、特に図示しないが、非表示画素列の列ドライバ接続用端子の共通化と列ドライバの出力ピン位置決めプロセスが必要になる。
【００６０】
図１５に示すように、列ドライバ４３のＮ本の信号出力ピンは、全て表示画素列４９及び非表示画素列５０に接続され、映像信号が表示画素列４９及び非表示画素列５０に対して書き込み動作される。図１６に示すように、１水平期間の表示画素数をＮとすると、非表示画素列５０に相当するＲ１〜Ｒ３、Ｒ（Ｎ−３）〜ＲＮについては、常に黒レベルの階調が表示される。非表示画素を定常黒表示とするには、図１１を参照して説明したようにドライバ駆動回路４９において、入力された映像信号（有効水平画素数に対する階調データ）に黒階調データを付加する画素数変換処理が実行される。このような黒階調データの付加処理で、１水平期間の駆動周波数は若干増大するものの、非表示画素列を滅点処理する加工プロセスが不要となり、生産効率が向上されるメリットがある。
【００６１】
変形例として、図１７に示すように画素１３（Ｒ）、１３（Ｇ）及び１３（Ｂ）が行・列方向共に交互に繰り返して配列される表示パネル１２（斜めストライプ若しくはモザイクカラー配列型の表示パネル）であれば、水平方向の画素ずらしピッチの単位は、Ｒ、Ｇ、Ｂ画素の繰り返し周期、画素ピッチの３倍に定めることができる。すなわち、カラー画素配列を考慮しない場合の水平画素ずらし量と、ＲＧＢ画素周期となる３の最小公倍数を画素ずらし量とすれば良い。
【００６２】
図１８に示すようにもう一つの画素ずらし方法として、表示画面の上下端どちらか一方、あるいは両方に非表示画素行５０を２行設け、不良画素１５の位置によって行方向（縦方向、画面垂直方向）に１行ずらし処理を行っても良い。すなわち、カラー画素配列を考慮しない場合の水平画素ずらし量を求めておき、求めた水平画素ずらし量分だけレンズを水平方向に移動し、更にこの水平画素ずらし量が３の倍数に一致しない場合は画素行を１行上下（あるいは一方向に２行）ずらせば不良画素１５をレンズに割り当てた境界画素に移動することが可能となる。このように、非表示画素行５０を２行追加することにより、水平方向のレンズ移動量を最小にすると共に、非表示画素列数も必要最小限に留めることが可能となる。
【００６３】
以上述べたように、本願によれば、不良画素を含む画像表示装置を用いて立体画像表示装置を構成しても、良好な画像品位を確保することができる。即ち、画像表示装置の実質的な歩留りを向上させることが可能である。
【産業上の利用可能性】
【００６４】
本発明によれば、点欠陥の生じた画像表示パネルであっても、良好な表示品位の立体画像表示装置を提供することができる。
【符号の説明】
【００６５】
１０．．．シリンドリカルレンズアレイ、１０Ａ．．．シリンドリカルレンズ、１２．．．視差画像表示装置(画像表示部）、１１．．．画素素子配列、１２Ａ．．．画素面、１２Ｃ．．．基板、１２Ｂ．．．透明基板、１３．．．画素、２５、２７．．．位置合せマーカ、２６．．．画面周辺部、２８．．．レンズ周辺部、２９．．．ドライバ駆動回路、３１．．．視域、３３．．．視域境界画素、１４．．．冗長画像、１５．．．不良画素、１８．．．光軸、２０．．．集光点、２１．．．レンズ面、４１．．．ＴＦＴ、４３．．．列ドライバ、４４．．．行ドライバ
【図１】
2010237290.tif 000003
【図２】
2010237290.tif 000004
【図３】
2010237290.tif 000005
【図４】
2010237290.tif 000006
【図５】
2010237290.tif 000007
【図６】
2010237290.tif 000008
【図７】
2010237290.tif 000009
【図８】
2010237290.tif 000010
【図９】
2010237290.tif 000011
【図１０】
2010237290.tif 000012
【図１１】
2010237290.tif 000013
【図１２】
2010237290.tif 000014
【図１３】
2010237290.tif 000015
【図１４】
2010237290.tif 000016
【図１５】
2010237290.tif 000017
【図１６】
2010237290.tif 000018
【図１７】
2010237290.tif 000019
【図１８】
2010237290.tif 000020